(57)【要約】      （修正有）【課題】地震などの被災時には簡単に身を隠して避難することができると共に被災時の当座を凌ぐ食料や医薬品、水などを収納することができ、収納部の開閉が容易であり、平常時も使い勝手の良い防災避難及び備蓄テーブルを提供する。【解決手段】剛性を有する脚１に保持された天板２の下面側に主収納部３を設けると共に脚１間にボトル等の補助収納部４を設け、天板２の上方移動により主収納部３の上方を開放可能とした。【選択図】図２
0003152193.tif 000002
【実用新案登録請求の範囲】
【請求項１】
剛性を有する脚1、１・・・に保持された天板２の下面側に主収納部３を設けると共に脚１、１間にボトル等の補助収納部４を設け、天板２の上方移動により主収納部３の上方を開放可能として成る防災避難及び備蓄テーブル。
【請求項２】
天板２を上方へ略水平状態で開放可能とした請求項１に記載の防災避難及び備蓄テーブル。
【考案の詳細な説明】
【技術分野】
【０００１】
本考案は、災害時に避難テーブルとして使用できるとものに、災害時、被災直後の食料や水、医療品等をまとめて備蓄することができ、しかも常時は毎日の食料や水等の収納に使用でき、また、テーブル表面の使用中でも支障なく収納物を取り出したり、収納したりできる防災避難及び備蓄テーブルに関するものである。
【背景技術】
【０００２】
大震災などの災害時、瞬時に身を守る家具として机やテーブルがその対象として従来から考えられおり、そのテーブルに剛性を持たせて安全性を高めると共に、天板下面や脚間に食品や水ボトルなどを収納できるように種々提案されている。
【０００３】
しかし、避難テーブルと言っても常時は日常的に使用したいものであるが、従来の避難テーブルは日常的な収納物の収納、取出しが面倒であり、使い勝手が悪い欠点があった。
【０００４】
【特許文献１】特開２００７−１９５９０９号公報
【特許文献２】実用新案登録第３０２４９７０号公報
【考案の開示】
【考案が解決しようとする課題】
【０００５】
本考案は、被災時は避難テーブルとして活用できると共に、被災直後の何日間を凌ぐ食料や水等を確保できるだけでなく、被災以外の殆どは日常的に使用するが、その際に、備蓄された食品や水等を容易に取り出したり、追加収納したりしやすく、便利に使用できる防災避難及び備蓄テーブルを提供するものである。
【考案の効果】
【０００６】
本考案は、剛性を持つ脚１、１・・・で剛性の大きな天板２を支持して万が一の被災時には天板の下に潜り込んで避難テーブルとして利用でき、また、被災直後に落ち着いた時、当面必要な食料や水、医薬品、携帯コンロや燃料等を天板２下面や脚１、１間に備蓄したもので凌げることは勿論であるが、滅多に起きない災害時以外は日常的に使用するものであり、その際、天板２の下の上下幅の狭い空間に備蓄された収納物であっても、天板２を上方に開いて簡単に取り出したり、追加したりすることができる。一般にこのような備蓄物は収納したまま忘れ去られることが多く、気付いたときは賞味期限が切れてしまっていて放棄せざるを得ないことも多かったが、取り出し、収納が容易に行えるので、日常サイクルの中でこれらの収納物がサイクルされることになり、従来のような無駄に捨てることもない。
【０００７】
また、天板２を上方に開くようにしたから、天板２の下面の略前面に亘り収納空間を設定することができて、収納量を多くすることができ、しかも、天板２の奥に仕舞った物でも容易に取り出せる利点がある。
【０００８】
また、天板２を略水平に保ったまま上方に開くことができるようにした場合は、天板２に物が載っている場合でも、それを他の場所に移さなくても載せたまま、下方の収納物を取り出したり、収納したりできて使い勝手が良い。また、一般にテーブルは食堂やダイニングキッチン、居間等に設置されることが多いが、天板２が上方に移動する場合、略水平なまま一側上方斜め位置に天板２が開けられる場合は、テーブル側方に設置される食器収納棚などに近付いて持上げられるようにできて物品の出し入れに便利である。
【０００９】
更に、天板２を上方へ持上げるに際し、引っ張り力付勢手段６或いは持上げ力付勢手段１０を併設しておくと、頑丈で重い天板２であっても、主収納部３の上方を開放するために持上げる操作が楽に行える。
【考案を実施するための最良の形態】
【００１０】
図１、図２は本考案の一実施例の概略を示すもので、スチール製或いは木製の剛性を有する複数本の脚１、１・・・に天板２を設置し、この天板２の下面側に主収納部３を配置すると共に、脚１、１間の１又は２以上に副収納部４を設けてあり、天板２は上方へ移動して主収納部３の上面側が開放されるようになっている。図はその１例で、脚１、１の上部間を締結する幕板８の内側に主収納部３が設置され、脚１、１の中間部の適所は横桟９が連結されて補強されている。そして、左右の両方において、脚１の中間部と天板２の一側中央部との間、横桟９の中央部と天板２の一方の端との間が一対のリンク５、５で回動自在に結合されている。
【００１１】
また、天板２の一辺に対応して、その一辺の一端に対応する脚１の上端とその一辺の他端に対応する天板２の下面側とをばね、エア又は流体クッションなどの引っ張り力付勢手段６が装着されている。７は必要に応じて施されるストッパで、リンク５は垂直よりもややオーバーハングに回動した状態でストッパ７に当接して静止するようになっている。
【００１２】
図３はリンク５と引っ張り力付勢手段６を脚１、１の内側に収まるようにした例で、主収納部３の収納スペースは少し減るが、外観が向上し、動作時も可動部分が外方に突出せず安全性が向上する。
【００１３】
上記例はリンク５により天板２を略水平に保ったまま斜め上方に移動させて開けられるようにしたが、その他、図４、５のように脚１を上下に伸縮可能なものとし、常時はロックされているが、それが外された場合、ばねや流体クッションで天板２が上方に持ち上げられるようにしても良い。この例では図６のように脚１を筒状の主脚１ａに棒状の副脚１ｂをばね等の持上げ力付勢手段１０で常時上方に移動可能に付勢して形成して、常時はストッパ１１を副脚１ｂの穴１２に差し込んでおき、ストッパ１１を抜くと天板２が図７のように上方に平行移動して主収納部３の上方が開放されて中身を取り出したり、補給したりできるようになっている。
【００１４】
リンクの場合、或いは脚が伸縮する場合のいずれでも、引っ張り力付勢手段６或いは持上げ力付勢手段１０はストッパを解除することによりそれらの付勢手段で天板２が上方に移動するようにしても良いし、手で持上げる際の補助手段としても構わない。
【産業上の利用可能性】
【００１５】
本考案のテーブルは、地震等の災害時にはその下に潜り込んで災害時の避難シェルターとして使用でき、また、被災時は暫くの間の食料や水、あるいは簡易コンロや医薬品を主副収納部より取り出して急場を凌ぐことができるものであるが、それだけではなく、平常時も簡単に天板２を上方に移動させて開けることができるので、日常的な開閉が容易であって、通常の補助的なストッカーとして便利に使用できるものである。
【００１６】
しかも天板２は略水平状態で上下に移動して開閉されるので、天板２上に物を載せて使用しているときでも、物を他所に片付けなくてもそのままの状態で開け閉めができるので使いが手が良い。また、通常、テーブルは水屋などの近くで使用されるが、天板２の上に載置された食器などを水屋に仕舞う時や、食品などを冷蔵庫に収納する場合も、天板２が持ち上がると、屈まなくても楽に取れ、作業が楽になる。
【００１７】
またリンクを用いた図１〜３の例であれば、天板２は上方に移動すると共に横へも移動するので、収納部からの取出しがより楽になり、また、天板２が上方に開くときに水屋や冷蔵庫に近づくように設置しておくと、天板２上のものが仕舞いやすいものである。
【図面の簡単な説明】
【００１８】
【図１】本考案の一実施例の収納状態の斜視図。
【図２】同上の天板を開いた状態の斜視図。
【図３】同上のリンクと引っ張り力付勢手段を脚の内側に配置した例の斜視図。
【図４】本考案の他の実施例の収納状態の斜視図。
【図５】同上の天板を開いた状態の斜視図。
【図６】図４に対応する脚の部分の拡大断面図。
【図７】図５に対応する脚の部分の拡大断面図。
【符号の説明】
【００１９】
１は脚。
２は天板。
３は主収納部。
４は副収納部。
【図１】
0003152193.tif 000003
【図２】
0003152193.tif 000004
【図３】
0003152193.tif 000005
【図４】
0003152193.tif 000006
【図５】
0003152193.tif 000007
【図６】
0003152193.tif 000008
【図７】
0003152193.tif 000009